(57)【要約】【課題】隣接する光伝送装置間での情報の送受信により、ネットワーク上での光信号の経路を把握し、効率的なネットワークの構築と障害対応の管理が可能な光伝送装置を得る。【解決手段】光伝送装置６０を受信手段６１と、情報生成手段６２と、記憶手段６３と、判断手段６４と、送信手段６５とで構成する。受信手段６１は、伝送路上の回線及び伝送装置の識別子とその順番と光信号の波長の情報とを含む第１のネットワーク情報を隣接する伝送装置から受信する。情報生成手段６２は、第１のネットワーク情報に隣接する伝送装置との間の回線及び隣接する伝送装置の識別子と光信号の波長の情報とを付加して第２のネットワーク情報を生成する。判断手段６４は、第２のネットワーク情報を基に光信号の送信経路及び送信先を判断する。送信手段６５は、判断手段６４により判断された光信号の送信先となる光伝送装置へ光信号を送信する。【選択図】      図１６
2014011594.tif 000002
【特許請求の範囲】
【請求項１】
光信号の伝送路上の回線及び伝送装置の識別子と前記回線及び前記伝送装置の前記伝送路上での順番と前記伝送路で伝送される光信号の波長の情報とを含む第１のネットワーク情報を隣接する伝送装置から受信する受信手段と、前記受信手段により受信した前記第１のネットワーク情報に前記隣接する伝送装置との間の回線及び前記隣接する伝送装置の識別子と前記隣接する伝送装置との間で送受信する光信号の波長の情報とを付加して第２のネットワーク情報を生成する情報生成手段と、前記情報生成手段で生成された前記第２のネットワーク情報を記憶する記憶手段と、前記記憶手段に記憶された前記第２のネットワーク情報に含まれる光信号の伝送路上の回線及び伝送装置の識別子と前記回線及び前記伝送装置の前記伝送経路上での順番の情報を基に光信号の送信経路及び送信先となる隣接する光伝送装置を判断する判断手段と、前記判断手段により判断された前記光信号の送信先となる隣接する光伝送装置へ前記光信号を送信する送信手段とを備えることを特徴とする光伝送装置。
【請求項２】
前記送信手段は前記第２のネットワーク情報を隣接する伝送装置へ送信する手段をさらに有することを特徴とする請求項１に記載の光伝送装置。
【請求項３】
前記第２のネットワーク情報を光信号に多重化する多重化手段を有することを特徴とする請求項１または２いずれかに記載の光伝送装置。
【請求項４】
前記第２のネットワーク情報の伝送路上の回線または伝送装置で障害が発生した際に、前記第２のネットワーク情報を基に代替経路を構成する経路構成手段をさらに備え、前記情報生成手段は、前記経路構成手段により構成された代替経路での光信号の伝送路の回線及び伝送装置の識別子と前記回線及び伝送装置の順番と光信号の波長の情報とを前記第２のネットワーク情報に付加して第３のネットワーク情報を生成する手段を有し、前記記憶手段は前記第３のネットワーク情報を記憶する手段を有し、前記判断手段は前記第３のネットワーク情報を基に光信号の送信先を判断する手段を有し、前記送信手段は前記判断手段により判断された光信号の送信先へ光信号を送信する手段を有することを特徴とする請求項１から３いずれかに記載の光伝送装置。
【請求項５】
前記代替経路において他の光信号で使用されている波長と前記第２のネットワーク情報に含まれる光信号の波長が同一であった際に、光信号の波長を使用されていない波長へ変換する波長変換手段を備え、前記情報生成手段は前記波長変換手段によって変換された後の光信号の波長の情報を前記第３のネットワーク情報に付加する手段を有することを特徴とする請求項４に記載の光伝送装置。
【請求項６】
請求項１から５いずれかに記載の光伝送装置が複数台接続されていることを特徴とする光伝送システム。
【請求項７】
光信号の伝送路上の回線及び伝送装置の識別子と前記回線及び前記伝送装置の前記伝送路上での順番と前記伝送路で伝送される光信号の波長の情報とを含む第１のネットワーク情報を隣接する伝送装置から受信し、受信した前記第１のネットワーク情報に前記隣接する伝送装置との間の回線及び前記隣接する伝送装置の識別子と前記隣接する伝送装置との間で送受信する光信号の波長の情報とを付加して第２のネットワーク情報を生成し、生成した前記第２のネットワーク情報を記憶し、記憶した前記第２のネットワーク情報に含まれる光信号の伝送路上の回線及び伝送装置の識別子と前記回線及び前記伝送装置の前記伝送経路上での順番の情報を基に光信号の送信経路及び送信先となる隣接する光伝送装置を判断し、判断した前記光信号の送信先となる光伝送装置へ前記光信号を送信することを特徴とする光信号の通信方法。
【請求項８】
前記第２のネットワーク情報を隣接する伝送装置へ送信することを特徴とする請求項７に記載の光信号の通信方法。
【請求項９】
前記第２のネットワーク情報に含まれる回線または伝送装置で障害が発生した際に、前記第２のネットワーク情報を基に代替経路を構成し、前記情報生成手段は前記経路構成手段により構成された代替経路での光信号の伝送路の回線及び伝送装置の識別子と前記回線及び伝送装置の順番と光信号の波長の情報とを第２のネットワーク情報に付加して第３のネットワーク情報を生成することを特徴とする請求項７または８いずれかに記載の光信号の通信方法。
【請求項１０】
前記代替経路において他の光信号で使用されている波長と前記第２のネットワーク情報に含まれる光信号の波長が同一であった際に、光信号の波長を使用されていない波長へ変換し、前記情報生成手段は前記波長変換手段によって変換された後の光信号の波長の情報を前記第３のネットワーク情報に付加し、前記通信手段は前記第３のネットワーク情報の変換された後の光信号の波長の情報を基に光信号の送受信を行うことを特徴とする請求項９に記載の光信号の通信方法。
【発明の詳細な説明】
【技術分野】
【０００１】
本発明は、光通信に関する技術であり、特に光伝送装置および光伝送装置間での通信方法に関するものである。
【背景技術】
【０００２】
情報通信社会の発展にともない高速で大容量の通信が可能な光通信の重要性が高まっている。通信量の増大等とともに通信に使用される光伝送装置の構成や各種の光伝送装置の組み合わせによって構築されるネットワークの複雑性が増している。一方で、情報通信の社会的な重要性の高まりとともにネットワークの障害発生等での影響も大きくなり、ネットワークの信頼性への要求が高くなっている。そのため、ネットワークを効率的に構築する技術やネットワークの監視や障害発生への対応等に関する技術の開発が盛んに行われている。
【０００３】
複雑化したネットワークを管理し、障害対応等を速やかに行うためには、光伝送装置や通信経路の組み換え時、障害発生により経路が変更されたときなどに、ネットワークの接続状況を効率的に認識できることが望ましい。そのためには、ネットワークでの各信号の通信経路や通信状況を把握し、障害発生時に対応しやすいネットワークを構成し管理する技術が必要となる。ネットワークの監視や障害発生への対応技術としては、例えば、光伝送装置間でＯＳＣ（Optical Supervisory Channel）信号を用いて、通信状況や障害発生の情報を送受信する技術などがあげられる。このような光伝送装置間で通信に関する情報の送受信を行う技術としては、特許文献１のような技術が開示されている。
【０００４】
特許文献１に開示されている光伝送装置は、光信号の一部を分岐しＯＳＣ信号を抽出した後に、自装置での情報をＯＳＣ信号に付加した後に、再度、伝送路の光信号へ多重化して挿入する機能を有している。特許文献１の光伝送装置は光信号のパワー等の計測機能を有しており、計測結果を基に作成された情報が性能情報としてＯＳＣ信号に付加される。性能情報の付加は通過する光伝送装置ごとに行われ、最も下流の光伝送装置で性能情報が記録され異常個所の特定等に用いられる。
【０００５】
特許文献２で開示されている光伝送装置は、ＯＳＣ信号に警報信号を付加し他の光伝送装置に通知する機能と、他の光伝送装置からの警報信号を抽出する機能を有している。警報信号は通信回線の異常を検知した際などに発せられる。
【先行技術文献】
【特許文献】
【０００６】
【特許文献１】特開２０１２−１５９６６号公報
【特許文献２】特開２０１１−２２３３３４号公報
【発明の概要】
【発明が解決しようとする課題】
【０００７】
しかしながら、特許文献１に開示された技術には次のような課題がある。特許文献１の光伝送装置では、光信号を計測し計測結果を基に送信用の光信号を生成し、下流側の光伝送装置へと送信している。このため、ネットワークの情報を収集できるのは下流側の光伝送装置のみであり、光信号の送信側で情報を用いるためには別にシステムを構築する必要がある。また、通信障害の発生時等に経路の組み換えが起きたときなどに、経路変更等について対応する技術は開示されていない。
【０００８】
特許文献２の光伝送装置では障害発生時に警報信号が発せられ、他の装置は障害の発生を認識することができるが、特許文献１と同様に、経路変更等への対応技術については開示されていない。
【０００９】
本発明では、隣接する光伝送装置間での情報の送受信により、ネットワーク上での光信号の経路を把握し、効率的なネットワークの構築と障害対応の管理が可能な光伝送装置を得ることを目的としている。
【課題を解決するための手段】
【００１０】
上記の課題を解決するため、本発明の光伝送装置は受信手段と、情報生成手段と、記憶手段と、判断手段と、送信手段とを備えている。受信手段は、光信号の伝送路上の回線及び伝送装置の識別子と回線及び伝送装置の伝送路上での順番と伝送路で伝送される光信号の波長の情報とを含む第１のネットワーク情報を隣接する伝送装置から受信する。情報生成手段は、受信した第１のネットワーク情報に隣接する伝送装置との間の回線及び隣接する伝送装置の識別子と隣接する伝送装置との間で送受信する光信号の波長の情報とを付加して第２のネットワーク情報を生成する。記憶手段は第２のネットワーク情報を保存する。判断手段は、第２のネットワーク情報に含まれる光信号の伝送路上の回線及び伝送装置の識別子と回線及び伝送装置の伝送経路上での順番の情報を基に光信号の送信経路及び送信先となる隣接する光伝送装置を判断する。送信手段は、判断手段により判断された光信号の送信先となる隣接する光伝送装置へ光信号を送信する。
【発明の効果】
【００１１】
本発明によれば、光伝送装置は隣接する光伝送装置との通信のみでネットワーク情報を得て通信を行うことが可能となる。隣接する光伝送装置間での情報の送受信を基にしているため、大掛かりなシステム等は必要なく、効率的にネットワークの構築や管理を行うことができる。
【図面の簡単な説明】
【００１２】
【図１】本発明の第１の実施形態の構成の概要を示す図である。
【図２】本発明の第１の実施形態の構成の概要を示す図である。
【図３】本発明の第１の実施形態におけるデータの例を示す図である。
【図４】本発明の第１の実施形態におけるデータの例を示す図である。
【図５】本発明の第１の実施形態におけるデータの例を示す図である。
【図６】本発明の第１の実施形態におけるデータの例を示す図である。
【図７】本発明の第１の実施形態におけるデータの例を示す図である。
【図８】本発明の第２の実施形態の構成の概要を示す図である。
【図９】本発明の第２の実施形態における信号経路の例を示す図である。
【図１０】本発明の第２の実施形態における信号経路の例を示す図である。
【図１１】本発明の第２の実施形態における信号経路の例を示す図である。
【図１２】本発明の第３の実施形態の構成の概要を示す図である。
【図１３】本発明の第３の実施形態における信号経路の例を示す図である。
【図１４】本発明の第３の実施形態における信号経路の例を示す図である。
【図１５】本発明の第３の実施形態における信号経路の例を示す図である。
【図１６】本発明の第４の実施形態の構成の概要を示す図である。
【発明を実施するための形態】
【００１３】
本発明の第１の実施形態について図１を参照して詳細に説明する。図1は本実施形態の光伝送装置の構成の概要を示したものである。
【００１４】
本実施形態の光伝送装置１０は、通信機能部１１と、制御部１２と、記憶部１３と、信号制御部１４とを備えている。また、光伝送装置１０は、信号分岐部１５および信号分岐部１９と、信号受信部１６および信号受信部２０と、信号送信部１７および信号送信部２１と、信号挿入部１８および信号挿入部２２とを備えている。
【００１５】
光伝送装置１０には光ファイバ３０から光信号が入力され、信号分岐部１５において光ファイバ３１と光ファイバ３２への光信号に分岐される。光ファイバ３１へと分岐された光信号は通信機能部１１へと入力される。光ファイバ３２へと分岐された光信号は、信号受信部１６へと入力される。また、光伝送装置１０には光ファイバ４０からも光信号が入力され、信号分岐部１９において光ファイバ４１と光ファイバ４２への光信号に分岐される。光ファイバ４１へと分岐された光信号は通信機能部１１へと入力される。光ファイバ４２へと分岐された光信号は、信号受信部２０へと入力される。通信機能部１１には出力用の光ファイバ３３および光ファイバ４３が接続されている。光ファイバ３３は信号挿入部１８に、光ファイバ４３は信号挿入部２２へと接続している。また、信号送信部１７には出力用に光ファイバ３４が接続され、光ファイバ３４は信号挿入部１８へと接続されている。信号送信部２１には出力用に光ファイバ４４が接続され、光ファイバ４４は信号挿入部２２へと接続されている。信号挿入部１８では光ファイバ３３と光ファイバ３４からの光信号が合波され、光ファイバ３５へと出力される。信号挿入部２２では光ファイバ４３と光ファイバ４４からの光信号が合波され光ファイバ４５へと出力される。
【００１６】
通信機能部１１と制御部１２、制御部１２と記憶部１３、および、制御部１２と信号制御部１４は信号ケーブルを介して接続され、互いに情報の送受信をすることができる。また、信号受信部１６、信号送信部１７、信号受信部２０、および、信号送信部２１はそれぞれ信号制御部１４と信号ケーブルなどを介して接続され、信号ケーブルを介して情報の送受信を行うことができる。
【００１７】
通信機能部１１は光伝送装置１０の光信号の伝送に関する機能を有している。例えば、通信機能部１１は、光信号の一部を分岐しての端末装置等への送信および端末装置等からの光信号の挿入を行う光分岐挿入機能を有している。また、通信機能部１１の分岐挿入機能を用いて、光伝送装置１０が光クロスコネクト装置として利用されることもある。光伝送装置１０が光信号の中継器として利用される場合には、通信機能部１１は光信号の増幅や信号補正機能などを有していることもある。
【００１８】
制御部１２は光伝送装置１０の全体を制御する機能を有する。例えば、制御部１２は通信機能部１１での光信号の処理を制御する。光信号の処理の制御とは、記憶部１３のデータに基づいて光信号の送信先を指定し経路を選択することや、通信機能部１１が補正機能を有する場合は補正量等の判断および指示を行うことなどをいう。制御部１２は信号制御部１４から得る通信に関する情報を記憶部１３に保存する。また、制御部１２は記憶部１３に保存された通信に関する情報を、信号制御部１４を介して他の装置へ送信する。制御部１２は記憶部１３に保存された情報を組み合わせ、各伝送装置までの光信号の伝送経路等のネットワーク情報を認識して記憶部１３に保存する機能を有している。
【００１９】
記憶部１３は、隣接した伝送装置から受信した通信に関する装置間情報およびその情報をまとめたネットワーク情報が記憶されている。また、記憶部１３には、光伝送装置１０の制御用プログラムや設定情報が保存されていることがある。
【００２０】
信号制御部１４は信号受信部１６で受信され電気信号へ変換された信号を制御部１２へと送る。信号制御部１４は制御部１２からネットワーク情報等を受信し、信号送信部１７を制御してネットワーク情報等を含む光信号を送信する機能を有する。また、信号制御部１４は信号受信部２０で受信され電気信号へ変換された信号を制御部１２へと送る。信号制御部１４は制御部１２からネットワーク情報等を受信し、信号送信部２１を制御してネットワーク情報等を含む光信号を送信する機能を有する。
【００２１】
信号分岐部１５および信号分岐部１９は光カプラ等で構成される。信号分岐部１５は光信号を通信機能部１１側の光ファイバ３１への光信号と、信号受信部１６側の光ファイバ３２への光信号とに分岐する。信号分岐部１９は光信号を通信機能部１１側の光ファイバ４１への光信号と、信号受信部２０側の光ファイバ４２への光信号とに分岐する。
【００２２】
信号受信部１６および信号受信部２０は光信号を受信し電気信号へと変換する。光信号の受信部にはフォトダイオードを備えている。また、あらかじめ設定された所定の波長領域の光信号を受信するために、信号受信部１６および信号受信部２０は回折格子を備えており、分波された後に所定の波長の光信号のみが受信される。信号受信部１６および信号受信部２０で受信される光信号は、ネットワーク上の光伝送装置等に関する情報を含む光信号である。また、所定の波長とはネットワーク上の伝送装置等に関する情報を各装置間で送受信するために、ネットワークの設計で割り当てられている帯域のことをいう。
【００２３】
信号送信部１７および信号送信部２１は隣接する伝送装置へ自装置の持つネットワーク情報等を送信する機能を有する。信号送信部１７および信号送信部２１は、信号制御部１４からの電気信号を光信号に変換して送信するため、半導体レーザーを備えたトランスポンダユニットを有している。トランスポンダユニットから送信できる光信号の波長を可変とし、光信号の所定の波長の変更に対応できるようにしてもよい。
【００２４】
信号挿入部１８および信号挿入部２２は光カプラ等で構成される。信号挿入部１８は通信機能部１１側の光ファイバ３３からの光信号と、信号送信部１７側の光ファイバ３４からの光信号とを合波し、光ファイバ３５へと出力する。また、信号挿入部２２は通信機能部１１側の光ファイバ４３からの光信号と、信号送信部２１側の光ファイバ４４からの光信号とを合波し、光ファイバ４５へと出力する。
【００２５】
次に本実施形態の光伝送装置を用いて、ネットワークの経路等に関するネットワーク情報を収集する際の動作について説明する。
【００２６】
光伝送装置１０に伝送路から光ファイバ３０を介して光信号が入力される。光伝送装置１０に入力された光信号は信号分岐部１５で光ファイバ３１側への光信号と光ファイバ３２側への光信号とに分岐される。光ファイバ３１側への光信号は通信機能部１１へと入力される。
【００２７】
通信機能部１１へと入力された光信号には光伝送装置１０の設置目的に応じた処理がされる。例えば、光伝送装置１０が中継装置として用いられた場合は、光信号の増幅や雑音の除去等の信号補正が行われる。また、光伝送装置１０が光クロスコネクト部を構成する装置として用いられた場合、各伝送路から入力された光信号を分波し、各々の伝送先の経路へと振り分けた後に合波し、再び伝送路へと出力する処理が行われる。通信機能部１１に波長変換機能を設けて、入力信号と異なる波長に変換することもある。通信機能部１１で処理が行われた光信号は光ファイバ３３へと出力される。
【００２８】
信号分岐部１５で光ファイバ３２側へと分岐された光信号は信号受信部１６に入力される。信号受信部１６に入力された光信号は分波され、所定の波長の光信号が信号受信部１６の受光部で受信され電気信号に変換される。所定の波長とは装置間での情報の送受信用にネットワークの設計で定められたものである。
【００２９】
信号受信部１６で受信される信号には装置間情報やネットワーク情報を含む。装置間情報とは、２つの光伝送装置間の接続に関する情報のことをいう。装置間情報には２つの光伝送装置間での通信に用いる信号の識別子、回線の識別子、信号の波長が含まれる。また、装置間情報には使用していない信号の波長の情報も含まれる。ネットワーク情報とは、ある光伝送装置から信号の宛先となる光伝送装置までの経路情報を含むものである。経路情報には通信に用いる信号の識別子、経由する光伝送装置の識別子、回線の識別子、信号の波長が含まれ、宛先となる光伝送装置までの経路が記録されている。
【００３０】
信号制御部１４は信号受信部１６から装置間情報やネットワーク情報を含む信号を受信すると、制御部１２へと送信する。制御部１２は装置間情報やネットワーク情報を記憶部１３に保存する。制御部１２はネットワーク情報に自装置が含まれていると判断すると、
ネットワーク情報に自装置と隣接装置間の装置間情報を付加してネットワーク情報を更新する。制御部１２は更新したネットワーク情報を記憶部１３に保存する。上記では光ファイバ３０側からの光伝送装置１０に入力される光信号について説明したが、光ファイバ４０側から入力される光信号の場合についても同様である。
【００３１】
次に隣接する装置から装置間情報やネットワーク情報の要求があった際の動作について説明する。信号受信部１６または信号受信部２０が隣接する光伝送装置から情報の要求が含まれる光信号を受信したとする。受信した光信号は信号受信部１６または信号受信部２０で電気信号へ変換されて信号制御部１４へと入力される。信号制御部１４は情報の要求の信号を制御部１２に送信する。制御部１２は情報の要求の信号を受けると、記憶部１３に該当する情報が存在するかを確認し、存在する場合は信号制御部１４へと該当する情報を送信する。要求された情報が存在しない場合は、制御部１２は存在しないことを示す情報を信号制御部１４へと送信する。信号制御部１４は制御部１２から受けた情報を、信号送信部２１または信号送信部１７へ送信指示とともに送信する。光ファイバ３０側から情報の要求を受けた場合は、信号制御部１４は信号送信部２１へと送信し、光ファイバ４０側から受けた場合は信号送信部１７へと送る。信号制御部１４が信号送信部２１へ情報とその送信指示を送ったとして説明する。情報の送信指示を受けた信号送信部２１は信号を所定の波長の光信号へと変換する。所定の波長とはネットワークの設計で装置間の情報伝達用に定められたものである。信号送信部２１で生成された光信号は光ファイバ４４へと出力される。光ファイバ４４へと出力された光信号は信号挿入部２２へと入力される。信号挿入部２２では通信機能部１１から出力され光ファイバ４３から送信されてきた光信号と、光ファイバ４４からの光信号とが合波される。信号挿入部２２で合波された光信号は光ファイバ４５へと送られ、光伝送装置１０から出力される。光信号送信部１７から送信された場合は、光信号は光ファイバ３５を介して光伝送装置１０から出力される。
【００３２】
次に複数の光伝送装置でネットワークが構成された場合の、光伝送装置間での装置間情報やネットワーク情報の伝達方法について説明する。
【００３３】
図２は本実施形態の光伝送装置を４台接続したものである。図２に示す通り、第１の光伝送装置５１、第２の光伝送装置５２、第３の光伝送装置５３、第４の光伝送装置５４が接続されているとする。第１の光伝送装置５１にはＮ１、第２の光伝送装置５２にはＮ２、第３の光伝送装置５３にはＮ３、第４の光伝送装置５４にはＮ４の名称がつけられている。また、第１の光伝送装置５１と第２の光伝送装置５２の間の回線をＦ１、第２の光伝送装置５２と第３の光伝送装置５３の間の回線をＦ２、第３の光伝送装置５３と第４の伝送装置５４の間の回線をＦ３とする。各光伝送装置間では光信号は双方向で通信可能とする。また、各回線において伝送される光信号の識別子としての名称がＳ１、光信号の波長がλ１であったとする。
【００３４】
第１の光伝送装置５１が隣接する光伝送装置である第２の光伝送装置５２との通信に関する装置間情報を保存する場合を説明する。第１の光伝送装置５１は第２の光伝送装置５２へ回線Ｆ１を用いて信号Ｓ１を送信しているとする。このとき第１の光伝送装置５１は、第２の光伝送装置５２との通信に関する情報を記録した図３のようなデータテーブルを記憶している。図３のデータテーブルには送受信、信号名、通信先、回線、波長が記録されている。送受信は送信信号か受信信号かであり、第１の光伝送装置５１から第２の光伝送装置５２へ送信する際の送信信号の場合を示す例としてＴと表記している。本実施形態では他装置からの受信信号の際はＲと表記することとする。信号名は信号ごとに割り振られた識別子であり、本実施形態の例では、Ｓ１のように割り振られている。通信先は通信相手である隣接する伝送装置の識別子であり、本実施形態の例ではＮ２のように割り振られている。回線は通信先との通信に用いる回線の識別子であり、本実施形態ではＦ１のように示している。波長は通信に用いる光信号の中心波長であり、Ｓ１波長や周波数等の数値で表されることもあるが、本実施形態の説明においてはλ１のように記号で表現した。
【００３５】
次に第２の光伝送装置５２が第３の光伝送装置５３へ、第１の光伝送装置５１から受けた信号Ｓ１を回線Ｆ２で送信している場合に、第２の光伝送装置５２が生成するデータテーブルの例を示す。第２の光伝送装置５２は信号Ｓ１に関して図４のようなデータテーブルを有する。図４では信号Ｓ１について通信先である第１の光伝送装置５１と第３の光伝送装置５３についての装置間情報が記録され、それぞれについて、送受信の区別、使用されている回線および波長が紐づけられて記録されている。送受信の欄は第１の光伝送装置置５１からの信号が受信信号なのでＲ、第３の光伝送装置５３へは送信信号なのでＴと表記している。
【００３６】
第１の光伝送装置５１が第２の光伝送装置５２に対して、第２の光伝送装置５２が有しているネットワーク情報を要求したとする。第２の光伝送装置５２は第１の光伝送装置５１に対して、自装置が保有する図４のようなデータテーブルを返信する。第１の光伝送装置５１は第２の光伝送装置５２から図４のようなデータテーブルを受け取る。第１の光伝送装置５１はデータテーブルを受け取ると、信号Ｓ１に関して第２の光伝送装置５２と第３の光伝送装置５３の間で、通信の設定が確立していることをデータテーブルから認識する。次に第１の光伝送装置５１は、信号Ｓ１に関して第２の光伝送装置５２との通信を１次接続とし、その先の第２の光伝送装置５２と第３の光伝送装置５３の間の接続を２次接続として紐づける。第１の光伝送装置５１は紐づけが終わるとデータを図５のようなデータテーブルとして保存する。図５では信号Ｓ１での通信に関して１次接続先のＮ２との回線および波長、さらにその先のＮ２とＮ３間での回線および波長に関する情報が記録されている。図５のように紐づけて保存することにより、第１の光伝送装置５１は第３の光伝送装置５３までの通信に関する設定情報を認識することができる。
【００３７】
信号Ｓ１は第１の光伝送装置５１から第２の光伝送装置５２へ送信され、さらに第３の光伝送装置５３へと送信され、最終的に第４の光伝送装置５４まで送信される設定であるとする。このとき、第２の光伝送装置５２はすでに述べた方法により図６に示すような２次接続情報までを認識することができる。図６にはＮ３までが１次接続、Ｎ３からＮ４までを２次接続として接続に関して第２の光伝送装置５２が持っているネットワーク情報が示されている。第１の光伝送装置５１から第２の光伝送装置５２に対して、ネットワーク情報の要求があった場合、第２の光伝送装置５２は図６のようなデータテーブルを返信する。第１の光伝送装置５１は第２の光伝送装置５２からのデータテーブルを受信すると、第２の光伝送装置５２との通信の装置間情報と、第４の光伝送装置５４までの経路を紐づけて図７のように保存する。図７ではＮ１までを１次接続、Ｎ２からＮ３を２次接続、Ｎ３からＮ４を３次接続としたときのネットワーク情報が示されている。第１の光伝送装置５１は図７のようなネットワーク情報を有することにより、光信号Ｓ１について第４の光伝送装置５４との通信を行うことができる。
【００３８】
本実施形態の光伝送装置を用いると、隣接する光伝送装置との通信のみでネットワーク情報を得て通信を行うことが可能となる。隣接する光伝送装置間での情報の送受信を基にしているため、大掛かりなシステム等は必要なく、効率的にネットワークの構築や管理を行うことができる。
【００３９】
本発明の第２の実施形態について図８を参照して詳細に説明する。第１の実施形態では光伝送装置が直列に接続されていたが、第２の実施形態では、３台以上の光伝送装置を含み網目状のネットワークが構成されている。
【００４０】
本実施形態のネットワークは図８に示す通りＮ１からＮ９の９台の光伝送装置で構成されているとする。各光伝送装置はＦ１からＦ１５の光ファイバを用いた回線を介して接続されている。また、各光伝送装置には、第１の実施形態の光伝送装置と同様の構成、機能ものを用いるとする。図１での第１の実施形態の光伝送装置１０では、通信機能部１１からの入出力は２系統のみであったが、本実施形態で用いる場合は必要数の入出力の系統があるとする。
【００４１】
信号Ｓ１が光伝送装置Ｎ１に入力され、Ｎ１、Ｎ２、Ｎ３、Ｎ６およびＮ９の順に伝達されて、光伝送装置Ｎ９まで送信されるとする。また、信号Ｓ１が光伝送装置Ｎ１からＮ９まで送信されるときに通過する回線はＦ１、Ｆ２、Ｆ７およびＦ１３の順であるとする。このときの、信号Ｓ１の波長をλ１とする。
【００４２】
光伝送装置Ｎ６はＮ９へ回線Ｆ１３を介して信号Ｓ１を波長λ１で送信している。このとき光伝送装置Ｎ６はＮ９との通信に関する装置間情報として、送受信の区別、信号名、通信先、回線および波長の情報を示す「Ｔ，Ｓ１，Ｎ９Ｆ１３λ１」を含むデータを有している。装置間情報は第１の実施形態では表形式で示したが所定の書式で記載されていればよく、本実施形態では「Ｔ，Ｓ１，Ｎ９Ｆ１３λ１」のように表記することとする。
【００４３】
また、同様に光伝送装置Ｎ３はＮ６へ回線Ｆ７を介して信号Ｓ１を波長λ１で送信している。このとき光伝送装置Ｎ３はＮ６との通信に関して、「Ｔ，Ｓ１，Ｎ６Ｆ７λ１」のデータを有している。光伝送装置Ｎ３とＮ６は隣接しているので、光伝送装置Ｎ３に対してＮ６から「Ｔ，Ｓ１，Ｎ９Ｆ１３λ１」を含むデータが送られてくる。光伝送装置Ｎ３はＮ６からデータを受信すると、Ｎ３自身が有しているＮ６との通信に関する装置間情報のデータとＮ６から受け取ったデータを紐づけてデータを生成する。このとき、光伝送装置Ｎ３が生成するデータは、「Ｔ，Ｓ１，Ｎ６Ｆ７λ１，Ｎ９Ｆ１３λ１」のような形式になる。これは第１の実施形態での１次接続、２次接続を表に示したものに相当するネットワーク情報である。
【００４４】
同様に光伝送装置Ｎ２はＮ３へ回線Ｆ２を介して信号Ｓ１を波長λ１で送信しているので「Ｔ，Ｓ１，Ｎ３Ｆ２λ１」のデータを有している。光伝送装置Ｎ２はＮ３から「Ｔ，Ｓ１，Ｎ６Ｆ７λ１，Ｎ９Ｆ１３λ１」を含むデータを受信すると、データの紐づけを行い、「Ｔ，Ｓ１，Ｎ３Ｆ２λ１，Ｎ６Ｆ７λ１，Ｎ９Ｆ１３λ１」を生成する。
【００４５】
光伝送装置Ｎ１はＮ２へと回線Ｆ１を介して信号Ｓ１を送信しているので、「Ｔ，Ｓ１，Ｎ２Ｆ１λ１」のデータを有している。光伝送装置Ｎ１はＮ２から「Ｔ，Ｓ１，Ｎ３Ｆ２λ１，Ｎ６Ｆ７λ１，Ｎ９Ｆ１３λ１」のデータを受信すると、Ｎ２との間のデータと紐づけを行う。その結果、光伝送装置Ｎ１は「Ｔ，Ｓ１，Ｎ２Ｆ１λ１，Ｎ３Ｆ２λ１，Ｎ６Ｆ７λ１，Ｎ９Ｆ１３λ１」のデータを生成する。これにより、光伝送装置Ｎ１はＮ９までのネットワーク情報を認識することができる。光伝送装置Ｎ１はＮ９までの経路を含むこのネットワーク情報に基づいて、光信号Ｓ１に関してＮ９との通信を行うことができる。このとき、光伝送装置Ｎ１はＮ９へ信号を送信するために、ネットワーク情報上で次の光伝送装置であるＮ２に対して信号Ｓ１を波長λ１で回線Ｆ１を用いて送信する。
【００４６】
本実施形態の光ネットワークにおいて、回線Ｆ７を介しての通信に障害が発生し、光伝送装置Ｎ３とＮ６の間で通信が行えなくなったとする。図９では障害Ｃ１がＦ７に発生した例を模式的に示した。
【００４７】
光伝送装置Ｎ３は、回線Ｆ７を介しての通信に障害が発生し、Ｎ６との通信ができないことを検知する。光伝送装置Ｎ３は信号Ｓ１の通信に使用していない回線Ｆ６を介して隣接しているＮ５に対して情報を要求する。このとき、光伝送装置Ｎ３はＮ５に対してネットワーク情報を送信する。光伝送装置Ｎ５はＮ３から得たネットワーク情報と自信の有する装置間情報を比較し、Ｎ３のネットワーク情報に隣接するＮ６が存在することを認識する。光伝送装置Ｎ５はＮ３のネットワーク情報に自身が情報を有する装置を認識できなかったときは、隣接する装置へＮ３からの情報を転送する。転送を受けた装置は、ネットワーク情報中に自身が情報を有する装置の有無を確認し結果を送信する。情報の転送は所定の回数内とし、所定の回数に到達したときは転送されずにネットワーク情報と合致する装置の有無のみが返信される。
【００４８】
本実施形態の例では光伝送装置Ｎ５は図９に示す通り回線Ｆ９を介してＮ６へ接続することができる。このとき、光伝伝送装置Ｎ５は、Ｎ６の間での経路Ｎ６を介しての通信で波長λ１が未使用の状態のとき「Ｔ，Ｓ０，Ｎ６Ｆ９λ１」のようなデータが含まれる装置間情報を持っている。本実施形態では光信号として未使用であることを示すために、Ｓ０の表記を用いた。
【００４９】
光伝送装置Ｎ５はＮ６に接続することにより障害の発生した回線の補完ができることを認識すると、Ｎ３に対して、「Ｔ，Ｓ０，Ｎ６Ｆ９λ１」が含まれる情報を送信する。光伝送装置Ｎ３は「Ｔ，Ｓ０，Ｎ６Ｆ９λ１」が含まれる情報を受信すると、今まで通信を行っていたＮ６へＮ５経由で通信が可能であることを認識する。光伝送装置Ｎ３はＮ５に対して、波長λ１での信号Ｓ１の通信を通知する。光伝送装置Ｎ５は信号Ｓ１について波長λ１で通信する通知をＮ６に対して送信する。光伝送装置Ｎ６は信号Ｓ１について波長λ１で通信する通知を受けると、通信の確立が可能な場合はＮ５へと通信が可能であるとの情報を返信する。このとき、光伝送装置Ｎ６からＮ５へ「Ｔ，Ｓ１，Ｎ９Ｆ１３λ１」が含まれるデータが送信される。
【００５０】
光伝送装置Ｎ５はＮ６からの情報に、Ｎ５がＮ６と行っている通信に関する装置間情報を付加する。光伝送装置Ｎ５は、「Ｔ，Ｓ１，Ｎ６Ｆ９λ１，Ｎ９Ｆ１３λ１」のデータを生成すると、回線Ｆ６を介して光伝送装置Ｎ３へ送信する。光伝送装置Ｎ３は「Ｔ，Ｓ１，Ｎ５Ｆ６λ１，Ｎ６Ｆ９λ１，Ｎ９Ｆ１３λ１」のデータを生成するとともに、Ｎ２へこのネットワーク情報を送信する。ネットワーク情報は光伝送装置Ｎ２からＮ１と順に情報が伝達され、光伝送措置Ｎ１で「Ｔ，Ｓ１，Ｎ２Ｆ１λ１，Ｎ３Ｆ２λ１，Ｎ５Ｆ６λ１，Ｎ６Ｆ９λ１，Ｎ９Ｆ１３λ１」のデータが生成される。光伝送装置Ｎ１は図１０の経路を示す「Ｔ，Ｓ１，Ｎ２Ｆ１λ１，Ｎ３Ｆ２λ１，Ｎ５Ｆ６λ１，Ｎ６Ｆ９λ１，Ｎ９Ｆ１３λ１」のデータを含むネットワーク情報を基に信号Ｓ１の通信を行うことができる。以上により、途中の回線に障害が発生した場合でも、光伝送装置Ｎ１からＮ９へ代替ルートが形成することができた。よって、この場合も光伝送装置Ｎ１からＮ９への信号Ｓ１の通信が可能となる。
【００５１】
次に回線Ｆ６および回線Ｆ７の２つの回線で障害が起きたとする。図１１には回線Ｆ６上の障害をＣ２、回線Ｆ７上の障害をＣ１として示した。光伝送装置Ｎ３は障害を検知し信号Ｓ１に関する回線Ｆ７を介した通信が不可であることを認識したとする。また、光伝送装置Ｎ３は回線Ｆ６の障害も認識しているとする。光伝送装置Ｎ３は信号の送信元となる方向のＮ２との回線以外の回線が不可であることを認識すると、Ｎ２に対して信号Ｓ１の通信が不可であるとの情報を送信する。
【００５２】
光伝送装置Ｎ２は、Ｎ３経由の通信が不可であるとの情報を受信すると回線Ｆ５を介して、Ｎ５へ情報を要求する。このとき、光伝送装置Ｎ２は自身の持つネットワーク情報を付加してＮ５へ情報を要求する。光伝送装置Ｎ５はＮ２の持つネットワーク情報に含まれるＮ６との接続することができ、波長λ１を使用していなかったとする。このとき、光伝送装置Ｎ５は回線Ｆ９で波長λ１の使用が可能である場合は「Ｔ，Ｓ１，Ｎ６Ｆ９λ１，Ｎ９Ｆ１３λ１」の情報をＮ２へと返す。光伝送装置Ｎ２はＮ５からの返信を受けると、Ｎ５との間の通信に関する情報を付加して、「Ｔ，Ｓ１，Ｎ５Ｆ５λ１，Ｎ６Ｆ９λ１，Ｎ９Ｆ１３λ１」のデータを生成する。また、光伝送装置Ｎ２は、「Ｔ，Ｓ１，Ｎ５Ｆ５λ１，Ｎ６Ｆ９λ１，Ｎ９Ｆ１３λ１」をＮ１へと送信する。光伝送装置Ｎ１はＮ２からデータを受けると、Ｎ２との間の通信に関する情報を付加して、「Ｔ，Ｓ１，Ｎ２Ｆ１λ１，Ｎ５Ｆ５λ１，Ｎ６Ｆ９λ１，Ｎ９Ｆ１３λ１」を生成する。光伝送装置Ｎ１はこのデータを基にＮ９との通信を行うことが可能となる。このとき、光伝送装置Ｎ１はＮ９へ信号を送信するために、ネットワーク情報上で次の光伝送装置であるＮ２に対して信号Ｓ１を波長λ１で回線Ｆ１を用いて送信する。
【００５３】
本実施形態の光ネットワークを用いると、隣接する光伝送装置との通信を基にネットワーク情報を得て通信を行うことが可能となる。また、障害発生時においても、障害の発生個所を回避した代替経路を含む情報を隣接する光伝送装置間での通信を基に得て、通信を行うことが可能である。隣接する光伝送装置間での情報の送受信を基にしているため、大掛かりなシステム等は必要なく、効率的にネットワークの構築や管理を行うことができる。
【００５４】
本発明の第３の実施形態について図１２を参照して詳細に説明する。第２の実施形態では信号が１つであったが、本実施形態では２つ以上の信号が伝送される。第３の実施形態の光ネットワークにおいても、第２の実施形態と同様にＮ１からＮ９の９台の光伝送装置で構成されているとする。各光伝送装置の構成および機能は第１の実施形態と同様とする。図１での第１の実施形態の光伝送装置１０では、通信機能部１１からの入出力は２系統のみであったが、本実施形態で用いる場合は必要数の入出力の系統があるとする。
【００５５】
図１２は信号Ｓ１とＳ２の２つの信号が同時に流れ、信号Ｓ１とＳ２の両方で波長λ１が使用されている場合の例である。信号Ｓ１は光伝送装置Ｎ１で入力され、Ｎ２、Ｎ３、Ｎ６、Ｎ９と伝送される。各光伝送装置の間では信号Ｓ１は回線Ｆ１、Ｆ２、Ｆ７、Ｆ１３を通る。また、信号Ｓ２は光伝送装置Ｎ４で入力されＮ５、Ｎ６と送られるとする。このとき、信号Ｓ２は回線Ｆ８およびＦ９を通過する。図１２の例では信号Ｓ１とＳ２の経路で重なりはないため、同じ波長λ１を用いても信号Ｓ１とＳ２が互いに影響を与えることはなく通信を行うことができる。このとき光伝送装置Ｎ１が有する信号Ｓ１に関するネットワーク情報は、「Ｔ，Ｓ１，Ｎ２Ｆ１λ１，Ｎ３Ｆ２λ１，Ｎ６Ｆ７λ１，Ｎ９Ｆ１３λ１」である。また、光伝送装置Ｎ４が有する信号Ｓ２に関するネットワーク情報は、「Ｔ，Ｓ２，Ｎ５Ｆ８λ１，Ｎ６Ｆ９λ１」である。
【００５６】
図１３に示すように信号Ｓ１の通信に使用されている回線Ｆ７で障害が発生したとする。光伝送装置Ｎ３は回線Ｆ７を介したＮ６との通信ができないため回線Ｆ７での障害を検知する。このとき、光伝送装置Ｎ３は、通信を行っていなかった回線Ｆ６を介してのＮ５に通信状況の情報を要求する。第２の実施形態では回線の切り替えのみで代替経路が確立できたが、本実施形態では図１４のように回線Ｆ９で波長λ１の信号が重なってしまうので回線の切り替えのみでは代替経路の確立ができない。光伝送装置Ｎ５は信号Ｓ１にλ１を割り当てられないので、「Ｔ，Ｓ２，Ｎ６Ｆ９λ１」を含むデータをＮ３へと返信する。光伝送装置Ｎ３は既に波長λ１が使用済みであることを識別すると、他の空いている波長が存在するかを確認する。例えば、光伝送装置Ｎ５からの情報に「Ｔ，Ｓ０，Ｎ６Ｆ９λ２」のように空いている波長のデータが含まれていたとする。この場合、光伝送装置Ｎ３はＮ５に対して、信号Ｓ１の波長をλ２に変換してＮ６との通信を行う指示を送る。光伝送装置Ｎ５はＮ３から波長を変換する指示を受けると、Ｎ６に対して、信号Ｓ１についてλ２での通信を行う情報を送信する。光伝送装置Ｎ６はλ２での受信が可能であるとき、通信可能である情報とともに信号Ｓ１をＮ９へ送信するときの装置間情報のデータ「Ｔ，Ｓ１，Ｎ９Ｆ１３λ１」を返信する。光伝送装置Ｎ５はＮ６から通信可能である情報を受信すると、Ｎ６から得たデータにＮ５とＮ６の間の通信に関する装置間情報のデータを付加し「Ｔ，Ｓ１，Ｎ６Ｆ９λ２，Ｎ９Ｆ１３λ１」を生成する。
【００５７】
光伝送装置Ｎ５は信号Ｓ１の通信が可能である情報とともに、「Ｔ，Ｓ１，Ｎ６Ｆ９λ２，Ｎ９Ｆ１３λ１」を含むデータをＮ３へと送信する。光伝送装置Ｎ３は信号Ｓ１の送信が可能である情報を受信すると、通信に関する得られたネットワーク情報に装置間情報を付加しＮ２へと送る。また、光伝送装置Ｎ２もＮ３からデータを受信すると必要なデータを付加した後、Ｎ１へと送る。光伝送装置Ｎ１でＮ２との通信に関する装置間情報のデータが付加されると、信号Ｓ１に関するネットワーク情報のデータは「Ｔ，Ｓ１，Ｎ２Ｆ１λ１，Ｎ３Ｆ２λ１，Ｎ５Ｆ６λ１，Ｎ６Ｆ９λ２，Ｎ９Ｆ１３λ１」となる。光伝送装置Ｎ１はこのデータを基にＮ９との通信を行うことができる。以上より、複数の光信号が同時に通信に用いられている場合でも、光信号の通信が可能である。
【００５８】
上記では回線Ｆ９のみの波長をλ２へと変換する例を示したが、光伝送装置Ｎ１からＮ９までの経路上の全てで波長をλ２へと変換してもよい。この場合、上記の例で光伝送装置Ｎ３がλ２での通信を選択し、光伝送装置Ｎ５にλ２での指示を送った段階で、Ｎ３はＮ２側へもλ２で光信号の送受信を行う情報を送信する。光伝送装置Ｎ３から光信号の波長を変更する情報を受けたＮ２はＮ１へその情報を送信する。光伝送装置Ｎ１は波長λ２での光信号の送信可否を判断し、送信可否の情報をＮ２へ送信する。光伝送装置Ｎ２も波長λ２での光信号の送受信の可否を判断し、送信可否を判定し結果をＮ３へと送信する。光伝送装置Ｎ５からＮ９の間でも同様の確認が行われる。全ての経路で波長λ２での信号の送受信が可能であることが確認されると、光伝送装置Ｎ３から各装置へ順に波長λ２での光信号の送受信の情報が送信され、光伝送装置Ｎ１は図１５に示すような経路で波長λ２での光信号の送信を行う。この場合、信号Ｓ１に関して光伝送装置Ｎ１が有するネットワーク情報は、「Ｔ，Ｓ１，Ｎ２Ｆ１λ２，Ｎ３Ｆ２λ２，Ｎ５Ｆ６λ２，Ｎ６Ｆ９λ２，Ｎ９Ｆ１３λ２」となる。
【００５９】
本実施形態では、信号がＳ１とＳ２の２つの例を示したが、信号は３つ以上でもよい。また、光伝送装置の数および各光伝送装置の間の回線数は本実施形態に示した例だけでなく、ネットワークの設計に応じて設定することができる。
【００６０】
本実施形態の光ネットワークを用いると、複数の光信号がネットワークに存在する場合でも、隣接する光伝送装置との通信を基にネットワーク情報を得て通信を行うことが可能となる。隣接する光伝送装置間での情報の送受信を基にしているため、大掛かりなシステム等は必要なく、効率的にネットワークの構築や管理を行うことができる。
【００６１】
本発明の第１から第３の実施形態においては、1つの経路に１つの波長の光信号を送る例を示したが、１つの経路上で異なる波長の光信号が多重化されて通信が行われていてもよい。波長の異なる光信号を複数用いることにより、本発明の第１から第３の実施形態の光伝送装置およびそれによって構成される光ネットワークは波長分割多重方式の通信に用いることができる。また、本発明の第１から第３の実施形態における光伝送装置はＲＯＡＤＭ（Reconfigurable Optical Add/Drop Multiplexer）として利用することができる。
【００６２】
本発明の第1から第３の実施形態において隣接する装置間での通信に関する情報の送受信には、ＯＳＣ信号などを用いてもよい。
【００６３】
本発明の第1の実施形態で示した光伝送装置では通信機能部へ光信号の入力前および通信機能部からの出力後に光信号の分岐および挿入を行った。通信機能部が分波機能や合波機能を有するときは、通信機能部での分波後の信号から通信に関する情報を示す所定の波長の光信号を信号受信部へと入力してもよい。また、信号送信部から送信される通信に関する情報を示す光信号を通信機能部の有する合波機能で他の光信号と合波することもできる。
【００６４】
本発明の第４の実施形態について図１６を参照して詳細に説明する。図１６は本実施形態の光伝送装置の構成の概要を示した図である。
【００６５】
本実施形態の光伝送装置６０は受信手段６１と、情報生成手段６２と、記憶手段６３と、
判断手段６４と、送信手段６５とを備えている。受信手段６１は、光信号の伝送路上の回線及び伝送装置の識別子と回線及び伝送装置の伝送路上での順番と伝送路で伝送される光信号の波長の情報とを含む第１のネットワーク情報を隣接する伝送装置から受信する。情報生成手段６２は、受信した第１のネットワーク情報に隣接する伝送装置との間の回線及び隣接する伝送装置の識別子と隣接する伝送装置との間で送受信する光信号の波長の情報とを付加して第２のネットワーク情報を生成する。記憶手段６３は第２のネットワーク情報を保存する。判断手段６４は、第２のネットワーク情報に含まれる光信号の伝送路上の回線及び伝送装置の識別子と回線及び伝送装置の伝送経路上での順番の情報を基に光信号の送信経路及び送信先となる隣接する光伝送装置を判断する。送信手段６５は、判断手段６４により判断された光信号の送信先となる隣接する光伝送装置へ光信号を送信する。
【００６６】
本実施形態の光伝送装置を用いると、隣接する光伝送装置との通信のみでネットワーク情報を得て通信を行うことが可能となる。隣接する光伝送装置間での情報の送受信を基にしているため、大掛かりなシステム等は必要なく、効率的にネットワークの構築や管理を行うことができる。
【００６７】
上記の実施形態の一部又は全部は、以下の付記のようにも記載されうるが、以下には限られない。
【００６８】
（付記１）光信号の伝送路上の回線及び伝送装置の識別子と前記回線及び前記伝送装置の前記伝送路上での順番と前記伝送路で伝送される光信号の波長の情報とを含む第１のネットワーク情報を隣接する伝送装置から受信する受信手段と、前記受信手段により受信した前記第１のネットワーク情報に前記隣接する伝送装置との間の回線及び前記隣接する伝送装置の識別子と前記隣接する伝送装置との間で送受信する光信号の波長の情報とを付加して第２のネットワーク情報を生成する情報生成手段と、前記情報生成手段で生成された前記第２のネットワーク情報を記憶する記憶手段と、前記記憶手段に記憶された前記第２のネットワーク情報に含まれる光信号の伝送路上の回線及び伝送装置の識別子と前記回線及び前記伝送装置の前記伝送経路上での順番の情報を基に光信号の送信経路及び送信先となる隣接する光伝送装置を判断する判断手段と、前記判断手段により判断された前記光信号の送信先となる隣接する光伝送装置へ前記光信号を送信する送信手段とを備えることを特徴とする光伝送装置。
【００６９】
（付記２）前記送信手段は前記第２のネットワーク情報を隣接する伝送装置へ送信する手段をさらに有することを特徴とする付記１に記載の光伝送装置。
【００７０】
（付記３）前記第２のネットワーク情報を光信号に多重化する多重化手段を有することを特徴とする付記１または２いずれかに記載の光伝送装置。
【００７１】
（付記４）前記第２のネットワーク情報の伝送路上の回線または伝送装置で障害が発生した際に、前記第２のネットワーク情報を基に代替経路を構成する経路構成手段をさらに備え、前記情報生成手段は、前記経路構成手段により構成された代替経路での光信号の伝送路の回線及び伝送装置の識別子と前記回線及び伝送装置の順番と光信号の波長の情報とを前記第２のネットワーク情報に付加して第３のネットワーク情報を生成する手段を有し、前記記憶手段は前記第３のネットワーク情報を記憶する手段を有し、前記判断手段は前記第３のネットワーク情報を基に光信号の送信先を判断する手段を有し、前記送信手段は前記判断手段により判断された光信号の送信先へ光信号を送信する手段を有することを特徴とする付記１から３いずれかに記載の光伝送装置。
【００７２】
（付記５）前記代替経路において他の光信号で使用されている波長と前記第２のネットワーク情報に含まれる光信号の波長が同一であった際に、光信号の波長を使用されていない波長へ変換する波長変換手段を備え、前記情報生成手段は前記波長変換手段によって変換された後の光信号の波長の情報を前記第３のネットワーク情報に付加する手段を有することを特徴とする付記４に記載の光伝送装置。
【００７３】
（付記６）付記１から５いずれかに記載の光伝送装置が複数台接続されていることを特徴とする光伝送システム。
【００７４】
（付記７）光信号の伝送路上の回線及び伝送装置の識別子と前記回線及び前記伝送装置の前記伝送路上での順番と前記伝送路で伝送される光信号の波長の情報とを含む第１のネットワーク情報を隣接する伝送装置から受信し、受信した前記第１のネットワーク情報に前記隣接する伝送装置との間の回線及び前記隣接する伝送装置の識別子と前記隣接する伝送装置との間で送受信する光信号の波長の情報とを付加して第２のネットワーク情報を生成し、生成した前記第２のネットワーク情報を記憶し、記憶した前記第２のネットワーク情報に含まれる光信号の伝送路上の回線及び伝送装置の識別子と前記回線及び前記伝送装置の前記伝送経路上での順番の情報を基に光信号の送信経路及び送信先となる隣接する光伝送装置を判断し、判断した前記光信号の送信先となる隣接する光伝送装置へ前記光信号を送信することを特徴とする光信号の通信方法。
【００７５】
（付記８）前記第２のネットワーク情報を隣接する伝送装置へ送信することを特徴とする付記７に記載の光信号の通信方法。
【００７６】
（付記９）前記第２のネットワーク情報を前記光信号に多重化することを特徴とする付記７または８いずれかに記載の光信号の通信方法。
【００７７】
（付記１０）前記第２のネットワーク情報に含まれる回線または伝送装置で障害が発生した際に、前記第２のネットワーク情報を基に代替経路を構成し、前記情報生成手段は前記経路構成手段により構成された代替経路での光信号の伝送路の回線及び伝送装置の識別子と前記回線及び伝送装置の順番と光信号の波長の情報とを第２のネットワーク情報に付加して第３のネットワーク情報を生成することを特徴とする付記７から９いずれかに記載の光信号の通信方法。
【００７８】
（付記１１）前記代替経路において他の光信号で使用されている波長と前記第２のネットワーク情報に含まれる光信号の波長が同一であった際に、光信号の波長を使用されていない波長へ変換し、前記情報生成手段は前記波長変換手段によって変換された後の光信号の波長の情報を前記第３のネットワーク情報に付加し、前記通信手段は前記第３のネットワーク情報の変換された後の光信号の波長の情報を基に光信号の送受信を行うことを特徴とする付記１０に記載の光信号の通信方法。
【産業上の利用可能性】
【００７９】
本発明は、光通信分野における波長分割多重方式の光伝送装置等に利用することができる。
【符号の説明】
【００８０】
１０    光伝送装置
１１    通信機能部
１２    制御部
１３    記憶部
１４    信号制御部
１５    信号分岐部
１６    信号受信部
１７    信号送信部
１８    信号挿入部
１９    信号分岐部
２０    信号受信部
２１    信号送信部
３０    光ファイバ
３１    光ファイバ
３２    光ファイバ
３３    光ファイバ
３４    光ファイバ
３５    光ファイバ
４０    光ファイバ
４１    光ファイバ
４２    光ファイバ
４３    光ファイバ
４４    光ファイバ
４５    光ファイバ
５１    第１の光伝送装置
５２    第２の光伝送装置
５３    第３の光伝送装置
５４    第４の光伝送装置
６０    光伝送装置
６１    受信手段
６２    情報生成手段
６３    記憶手段
６４    判断手段
６５    送信手段
【図１】
2014011594.tif 000003
【図２】
2014011594.tif 000004
【図３】
2014011594.tif 000005
【図４】
2014011594.tif 000006
【図５】
2014011594.tif 000007
【図６】
2014011594.tif 000008
【図７】
2014011594.tif 000009
【図８】
2014011594.tif 000010
【図９】
2014011594.tif 000011
【図１０】
2014011594.tif 000012
【図１１】
2014011594.tif 000013
【図１２】
2014011594.tif 000014
【図１３】
2014011594.tif 000015
【図１４】
2014011594.tif 000016
【図１５】
2014011594.tif 000017
【図１６】
2014011594.tif 000018